(57)【要約】使用中に歯根管に器具がねじ掘削進入したり、回転進入するのを防止する少なくとも１本の真直ぐな溝を有する、歯に歯根管治療を施す際に使用するための歯内治療器具。この器具は長手方向中心軸線と、シャンク部と、シャンク部から中心軸線に沿って延びている細長い作業部とを有しているシャフトを備えており、細長い作業部は近位端、遠位端、および、少なくとも１つの外周面を有しており、少なくとも１本の真直ぐな溝は作業部の外周面の少なくとも一部に形成されており、真直ぐな溝は外周面上に少なくとも１つの切削端縁を形成している。真直ぐな溝は複数の溝部から形成されて、それぞれの溝部は器具の外周面に配置され、複数の溝部は互いに中心軸線の周囲に角変位されて設置されていてもよい。また、歯内治療器具を製造するための方法が開示されている。
2006521883.tif 000002
【特許請求の範囲】
【請求項１】
歯に歯根管治療を施す際に使用するための歯内治療器具であって、
長手方向の中心軸線と、シャンク部と、シャンク部から中心軸線に沿って延びる細長い作業部と、を有しているシャフトを備えており、細長い作業部には、近位端、遠位端、および、少なくとも１つの外周面が設けられており、上記歯内治療器具は、
作業部の外周面の少なくとも一部に形成された少なくとも１本の真直ぐな溝を更に備えている、歯内治療器具。
【請求項２】
上記作業部の少なくとも一部は、均一に先細り状になっている請求項１記載の歯内治療器具。
【請求項３】
上記作業部の少なくとも一部は、不均一に先細り状になっている請求項１記載の歯内治療器具。
【請求項４】
上記少なくとも１本の溝は、上記中心軸線にほぼ平行である請求項１記載の歯内治療器具。
【請求項５】
上記少なくとも１本の溝は、上記器具の外周面に配置された複数の溝部からなり、複数の溝部は互いに関して上記中心軸線の周囲で角変位された位置にあり、各溝部はその中心軸線に沿って画定されている第１端と第２端を有する請求項１記載の歯内治療器具。
【請求項６】
上記複数の溝部の第１溝部の少なくとも一方の端部は、上記長手方向の中心軸線に沿って第２溝部の第１端と第２端の間に配置されて、第１溝部と第２溝部が中心軸線に沿って長手方向に互いに重なり合う請求項５記載の歯内治療器具。
【請求項７】
更に、上記第１溝部と上記第２溝部が長手方向に互いに重なり合った位置に形成されたゲートを有し、このゲートは切削屑の排出を容易にしている請求項６記載の歯内治療器具。
【請求項８】
上記複数の溝部のうちの１つの第２端は、複数の溝部の別な１つの第１端にほぼ隣接する請求項５記載の歯内治療器具。
【請求項９】
溝が設けられていない少なくとも１つの中間部は、上記複数の溝部と溝部の間に配置されている請求項５記載の歯内治療器具。
【請求項１０】
上記複数の溝部の各々は、更に、第１端面および第２端面を有し、これら両端面の間には中間面が配置されており、両端面は各々が中間面に対して横断方向の平面上に配置されている請求項５記載の歯内治療器具。
【請求項１１】
上記両端面のうち少なくとも一方の端面は、上記中間面に対してほぼ垂直である請求項１０記載の歯内治療器具。
【請求項１２】
上記両端面のうち少なくとも一方の端面は、上記中間面を起点に９０°を超える角度θの位置に配置されている請求項１０記載の歯内治療器具。
【請求項１３】
上記切削端縁は、少なくとも１つの切欠きを備えている請求項１記載の歯内治療器具。
【請求項１４】
上記切削端縁上に上記少なくとも１つの切欠きを設けるように螺旋状の溝が上記作業部の少なくとも一部に沿って形成される請求項１３記載の歯内治療器具。
【請求項１５】
上記切削端縁上に上記少なくとも１つの切欠きを設けるように少なくとも１本の周方向溝が上記作業部の少なくとも一部に沿って形成される請求項１３記載の歯内治療器具。
【請求項１６】
上記切削端縁は、負のレーキ角を有する請求項１記載の歯内治療器具。
【請求項１７】
上記切削端縁は、中立のレーキ角を有する請求項１記載の歯内治療器具。
【請求項１８】
上記切削端縁は、正のレーキ角を有している請求項１記載の歯内治療器具。
【請求項１９】
上記切削端縁は、上記長手方向の中心軸線に関して角度αに配向されている請求項１記載の歯内治療器具。
【請求項２０】
更に、上記作業部の外周面に上記少なくとも１本の真直ぐな溝に隣接して形成された少なくとも１本の螺旋状の溝を有する請求項１記載の歯内治療器具。
【請求項２１】
歯に歯根管治療を施す際に使用するための歯内治療器具であって、
長手方向の中心軸線と、シャンク部と、シャンク部から中心軸線に沿って延びる細長い作業部と、を有するシャフトを備えており、細長い作業部には近位端、遠位端、および、少なくとも１つの外周面が設けられており、上記歯内治療器具は、
作業部の外周面の少なくとも一部に形成された少なくとも１本の真直ぐな溝を更に備えており、真直ぐな溝は外周面に少なくとも１つの切削端縁を形成しており、
真直ぐな溝は器具の外周面に配置された複数の溝部から構成されており、複数の溝部は中心軸線の周囲に互いに関して角変位された位置にあり、各溝部は、中心軸線に沿って画定されている第１端および第２端、及び、第１端面および第２端面を有し、これら両端面の間には中間面が配置されており、両端面の各々は、中間面を横切る平面内に配置されていることを特徴とする歯内治療器具。
【請求項２２】
上記複数の溝部のうちの第１溝部の少なくとも一端は、上記長手方向の中心軸線に沿って複数の溝部のうちの第２溝部の第１端と第２端の間に配置されて、第１溝部と第２溝部は中心軸線に沿って長手方向に互いに重なり合う請求項２１記載の歯内治療器具。
【請求項２３】
更に、上記第１溝部と上記第２溝部が長手方向に互いに重なり合っている位置に形成されたゲートを有し、このゲートは切削屑の排出を容易にする請求項２２記載の歯内治療器具。
【請求項２４】
歯に歯根管治療を施す際に使用する歯内治療器具を製造する方法であって、
台座を別注の支持成形型に給送し、長軸方向の中心軸線と、シャンク部と、シャンク部から中心軸線に沿って延びる細長い作業部と、を有しているシャフトを形成する工程を有し、細長い作業部には近位端、遠位端、および、少なくとも１つの外周面が設けられており、上記方法は、
作業部の外周面の少なくとも一部に少なくとも１本の真直ぐな溝を研削処理により設ける工程を更に有し、真直ぐな溝はこの種面に少なくとも１つの切削端縁を形成しており、  上記方法は、
器具の径および先細り形状の作成と仕上げとを研削処理により実施する工程と、
台座から器具を離脱させる工程と、を有する歯内治療器具の製造方法。
【請求項２５】
上記器具の径および先細り形状の作成と仕上げとを研削処理により実施する工程は、第１の研削ホイールによって実施される請求項２４に記載の方法。
【請求項２６】
上記器具に少なくとも１本の真直ぐな溝を研削処理により設ける工程は、第２の研削ホイールによって実施される請求項２５に記載の方法。
【発明の詳細な説明】
【技術分野】
【０００１】
本発明は、歯内治療療器具および歯内治療器具の製造方法に関するものである。
【背景技術】
【０００２】
内部神経と歯根の感染している点まで歯が齲蝕している場合、歯科医は歯根管処置を施して、歯を救済するとともに、それ以上の感染を阻止しなければならないことが多い。歯根管処置の主たる目標は、齲蝕した神経または損傷した神経を全部取り除くと同時に、比較的感染の進行していない歯根管壁を完全なまま残すことである。歯根管の保全を守ることは、歯根管に適切な詰物充填を施して、歯根管系とその周囲の歯の支持組織との間の漏れや導通を防止するためにも重要である。
【０００３】
歯根管処置を実施するために、歯内治療医はまず歯に穿孔を開けて歯根管の位置を探す。次に、一般に「ファイル（やすり器）」や「リーマー（穴ぐり器）」と呼ばれる歯内治療器具を使って、歯根管を清掃して拡大する。この清掃および拡大処置の目的は、壊死組織、齲蝕組織、または、感染組織を歯根管から除去し、歯根管を拡大して、歯根管に詰物を充填することができるようにすることである。リーマーとファイルは、歯内治療医が指で操作できるようになっているか、または、歯内治療医によりエンジン駆動されるか、いずれかであるが、具体的には、回転式、振動式、往復運動式などがあり、通例は、直径が小さく、歯根管の狭い作業環境で使用できるようになっている。
【０００４】
従来の歯内治療用のファイルおよびリーマーは、どれも螺旋状の溝を採用している。歯内治療用のファイルおよびリーマーは、指操作型であれ、エンジン駆動型であれ、基本的には回転ドリル様式または回転拡孔様式で処置を行い、従って、器具の切除動作によって生じる歯屑を排出することができるように螺旋状の溝を設けている必要がある、というのが共通の認識であった。器具の溝と歯根管壁との間の歯屑の堆積により、歯根管壁を破損し、かつ／または、器具を動作不良にすることがある。よって、歯根管処置の間は、ファイルまたはリーマーが歯根管を拡大させて歯根管の頂端に向かって進むにつれて、歯屑を適切に排除することが重要となる。
【発明の開示】
【発明が解決しようとする課題】
【０００５】
螺旋状に溝が設けられた歯内治療器具に付随する１つの問題点は、器具が歯根管内へ自主的にねじ切削進入したり、回転進入することである。この原因は、螺旋状の溝の切れ目の無い螺旋配向の切削端縁が歯根管を掘削し、ねじ切削し、或いは、回転進入するせいである。螺旋状の溝を設けた器具がこのように自主的にねじ切削しながら進入する傾向は、器具破損の主因である、深刻な望ましくない動作特性である。螺旋状の溝を設けた器具の修正例の多くは、この欠点に対処するために採り入れられてきた。このような修正例の幾つかは、螺旋の角度を変更し、ピッチを変更し、半径方向ランドを変更し、レーキ角を変更することを含む。しかし、このような修正例を採用しても、限られた動作の改良が顕著であるにすぎない。よって、効率よく切除して適切に屑を除去するが、それでいて、歯根管に自主的ねじ切削進入することの無い歯内治療器具が必要となる。
【０００６】
更に、従来の螺旋状の溝を設けた歯内治療器具を研削加工するために利用される現在実施されている方法は、回転式の研削ホイールによって器具が軸線方向に渡るにつれて、器具の軸線を中心として台座を回転させる必要がある。このような現在の方法は、未加工素材に溝を研削加工したり器具の外径と先細り形状を研削加工するのに、別個の作業と別個の機械を要する。よって、自主的にねじ切削しながら歯根内に進入することの無い歯内治療器具を製造する一層効率的な方法を必要とする。
【課題を解決するための手段】
【０００７】
好ましい実施形態では、本発明は、歯に歯根管治療を実施する際に使用するための歯内治療器具に関するものである。器具は、長手中心軸線と、シャンク部と、シャンク部から中心軸線に沿って延びている細長い作業部とを有しているシャフトを備えている。細長い作業部は近位端、遠位端、および、少なくとも１つの周面を有している。少なくとも１本の真直ぐな溝が作業部の周面の少なくとも一部に形成されており、真直ぐな溝は周面上に少なくとも１つの切削端縁を形成している。器具の作業部は先細り状になっていなくてもよいし、均一に、または、不均一に先細り状になっていてもよい。真直ぐな溝は中心軸線にほぼ平行になるようにしてもよく、切削端縁は負のレーキ角か、正のレーキ角か、または、正負どちらとも言えない角を設けるようにすればよい。代替の好ましい実施形態では、真直ぐな溝および／または切削端縁は、中心軸線に関して角度αに配向することができる。また別な実施形態では、器具は、少なくとも１本の真直ぐな溝に隣接した作業部の周面に少なくとも１本の螺旋状の溝が形成されている。
【０００８】
少なくとも１本の真直ぐな溝は、器具の周面に配置された複数の溝部から成っていてもよく、これら複数の溝部は中心軸線の周囲に互いに関して角度を設けて配置され、溝部は各々、その第１端と第２端が中心軸線に沿って画定されている。或る好ましい局面では、第１溝部の第１端は長手方向の中心軸線に沿って第２溝部の第１端と第２端の間に配置されるため、第１溝部と第２溝部が中心軸線に沿って長手方向に互いに重なり合う。第１溝部と第２溝部が長手方向に重なり合うことにより切削屑を溝に容易に排出できるようにするゲートが形成されていてもよい。これら複数の溝部の各々は、第１端面と第２端面を更に備えているとともに、両端面の間には中間面が配置されており、両端面の各々は、中間面を横切る平面に配置されているようにしてもよい。少なくとも一方の端面は中間面に対してほぼ垂直であってもよいし、或いは、代替例として、中間面を起点に90°を超える角度θで配置されていてもよい。
【０００９】
また別な好ましい実施形態では、溝部のうちの１本の第２端が別な溝部の第１端にほぼ隣接している。また別な好ましい実施形態では、溝の無い中間部は少なくとも２本の溝部の間に配置されている。更に別な好ましい実施形態では、切削端縁は少なくとも１個の切欠きを有しており、これは、作業部の少なくとも一部に沿って形成されている螺旋状の溝によって供与されることもあれば、作業部の少なくとも一部に沿って形成された少なくとも１本の円形または周方向の溝によって供与されることもある。
【００１０】
もう１つ別の好ましい実施形態では、本発明は、歯に歯根管治療を施す際に使用するための歯内治療器具の製造法に関連している。まず最初に、ワイヤ台座が別注の支持成形型に給送され、長手方向の中心軸線、シャンク部、および、シャンク部から中心軸線に沿って延びる細長い作業部を有しているシャフトを形成するが、細長い作業部は近位端、遠位端、および、少なくとも１つの周面を有している。少なくとも１本の真直ぐな溝は作業部の周面の少なくとも一部に研削により掘り込まれる。器具の直径、先細り形状、および、仕上げは研削により施され、仕上げ処理後の器具は台座から分離される。器具の直径、先細り形状、および、仕上げ処理を研削で実施する工程は、１個以上の研削ホイールで実施することができるが、器具に少なくとも１本の真直ぐな溝を研削処理で設ける工程は、同じ研削ホイールまたは別な研削ホイールで実施される。
【発明を実施するための最良の形態】
【００１１】
本発明は、歯に歯根管治療を実施する際に使用するための、改良型歯内治療器具に関するものである。実際、歯内治療用のファイル（やすり器）およびリーマー（穴ぐり器）は、指操作式であれ、エンジン駆動式であれ、通常は、従来の掘削器様式または拡孔器様式で使用されるわけではない。より具体的説明すると、歯内治療用のファイルおよびリーマーは、普通、器具が連続的に一方向に回転させられて継続的に前方に進められる態様で使用されるわけではない。現実には、指操作式のファイルやリーマーは、時計巻き様式、４分の１回転後に引張る様式、または、混合平衡力の様式で使用されることが多い。エンジン駆動式の回転技術は、普通は、突つきドリル運動を利用するが、この運動はファイルやリーマーを増進的に前方へ進ませてから器具を後退させるものである。更にまた、指操作技術とエンジン駆動技術の両方が、歯根管からファイルやリーマーを繰り返し後退させて、潤滑剤の灌注と導入を行えるようにする工程を含み、これにより歯屑を排出することができる。更に、歯根管技術はいずれも、異なる寸法および異なる先細り形状の多数のファイルやリーマーを使用し、ファイルやリーマーを繰り返し交換することで、本質的に、蓄積した屑を歯根管から除去する機構を供与するものである。
【００１２】
図１は、本発明による歯内治療器具１０の実施形態を例示している。器具１０は、一般に、シャンク部１４および細長い作業部１６を設けたシャフト１２を備えている。作業部１６は、シャンク部１４の基部に隣接している近位端１７から、先端部１５で終端する遠位端１８まで延在している。シャンク部１４は、歯科用ハンドピース（図示せず）のチャック（つかみ）と噛合うようにした、任意の嵌合部（図示せず）を備えていてもよい。嵌合部に代わる例として、或いは、嵌合部に加えて、シャンク部１４はギザギザを設けた面またはそれ以外の処理が施された面（図示せず）、或いは、そのようなハンドルを有しており、ファイル１０の手動操作を容易にしている。本件に記載されている歯内治療器具は指操作により使用することが可能であり、もしくは、器具は器具のシャンク部をモーター作動式ハンドピースに取付けることにより、エンジン駆動することができる。
【００１３】
図１および図２に示すように、好ましい実施形態では、歯内治療器具１０には４本の真直ぐな溝２１、２２、２３、２４が作業部１６に形成されており、器具の中心軸線Yに対して平行に、先端部１５に隣接している遠位端１８から延びて近位端１７で消失する。器具１０の作業部１６の横面図である図２に例示されているように、４本の溝２１、２２、２３、２４が作業部１６に切削端縁２１ａ、２２ａ、２３ａ、２４ａを形成している。この真直ぐな溝の概念は、切れ目無く螺旋状に配向された切削端縁で歯根管を掘削して、そこにねじ進入または回転進入するため、器具が歯根管に自主的にねじ切削して進入する問題を解決する。所望に応じて、１本から３本の真直ぐな溝、または、５本以上の溝を設けた同様の器具を構成することもできることを、当業者なら容易に認識するだろう。更に、このような溝は、作業部１６の長尺部の一部または全長部のいずれかの長さだけ延びていてもよい。
【００１４】
作業部１６の複数断面で共通の幾何学的形状を有するように溝を形成することもできる。真直ぐな溝のデザインは自主的なねじ掘削進入動作を阻止するため、断面形状は切除効率と進撃性を最適化するように作成することができる。図２は、図１の線Ａ−Ａに沿って破断された場合の、器具１０の作業部１６が溝２１，２２，２３，２４を包含しているの四角い断面形状を示している。本発明に関して作業部１６の別な断面形状を利用してもよいことと、その場合、本発明は周面の特定の断面形状に限定されるわけではないことに留意するべきである。このような断面形状には、対称的であれ、非対称的であれ、ほぼ三角形の形状、ほぼ台形の形状、ほぼ半円形の形状、ほぼＤ字型の形状、ほぼパイ型の形状、および、ほぼＣ字型の形状があるが、これらに限定されるわけではない。従って、本発明の器具の作業部１６は単一の断面形状に限定されるものではない。
【００１５】
溝空間の形状は作業部の断面形状によって定まるため、溝２１，２２，２３，２４は同じ断面溝形状を有していてもよいし、互いに異なる断面形状を有していてもよい。本発明に関してこれ以外の溝空間の形状を利用することもできることと、その場合、本発明は特定の溝空間の形状に限定されるものではないことに留意するべきである。このような溝空間の形状としては、ほぼＳ字型の形状とほぼＵ字型の形状があるが、これらに限定されるものではない。従って、溝空間の形状は、本発明にとって非常に重要であるとは思われない。更に、溝は作業部の周面に沿って対称的または非対称的な空間設定にされてもよい。
【００１６】
切削端縁２１ａ，２２ａ，２３ａ，２４ａのレーキ角は、所望に応じて、正角、負角、または、正負のどちらとも言えない中立角度でもよい。図２は、図１の線A−Aに沿って破断された場合の、器具１０の作業部１６の断面形状の一例を示しているが、同図では、切削端縁２１ａ，２２ａ，２３ａ，２４ａは負のレーキ角を有している。図３は、切削端縁２１ｂ，２２ｂ，２３ｂ，２４ｂが負のレーキ角で設けられた器具の作業部１６の断面形状の一例を示している。図４は、切削端縁２１ｃ，２２ｃ，２３ｃ，２４ｃが正のレーキ角で設けられた器具の作業部１６の断面形状の一例を示している。本発明に関して、これ以外の作業部１６の断面形状を利用して所望のレーキ角を達成するようにしてもよいことと、この場合、本発明は作業部１６の特定の断面形状に限定されるわけではないことに、留意するべきである。切削端縁のレーキ角は互いに等しくてもよいし、或いは、互いに異なっていても良いが、その一例として、１つのレーキ角がほぼ正で、別なレーキ角がほぼ負または正負いずれとも言えないようになっていてもよい。１個以上の切削端縁のレーキ角は作業部１６の長尺部に沿って変動してもよい。
【００１７】
好ましい一実施形態では、作業部１６は、図１に例示されているように、近位端１７から遠位端１８まで均一に先細り状にされる。これ以外の好ましい実施形態では、径の先細り率は不均一であってもよいが、その意味は、径の先細り率が作業部１６の長尺部に沿って変動するということである。シャフトの先細り形状は、器具を歯根管の狭い空間内で使えるようにする他にも、切除処置により生じる歯屑を除去するのを助ける。これは、真直ぐな溝を切除するにあたり、溝の根元または基部がファイルの軸線にほぼ平行になるようにした場合に、器具１０の遠位端１８から近位端１７まで溝空間が本質的に増大するせいである。切除処置の最中に生じる歯屑は抵抗が最も小さい経路を辿る傾向を有するので、屑は、自然と、器具の近位端１８から遠位端１７まで溝空間が増大していく方向に進むことになる。
【００１８】
図５を参照すると、溝２１の切削端縁２１aは器具１０の長手方向中心軸線１０に関して剪断角αに基づいて変位させることができるが、この場合、αは約０．１度から約４５度の範囲であればよい。この変位は、器具１０の溝に歯屑を払出すのを助ける。
【００１９】
本発明と一緒に、当該技術で従来公知の上記以外の改良点を利用して、器具の動作特性を向上させることができる。例えば、図６および図７を参照すると、螺旋状の溝２６を作業部１６の一区分に形成し、遠位端１８から近位端１７まで延びるようにしてもよい。螺旋状の溝２６は切削端縁２１ａ，２２ａ，２３ａ，２４ａ上に切欠き２７を設け、これにより、切削端縁２１ａ，２２ａ，２３ａ，２４ａ上の屑細片の負荷を緩和し、従って、切削端縁２１ａ，２２ａ，２３ａ，２４ａの進撃性を高めることができるようにしている。同様に、図８および図９に例示されているように、１本以上の周方向の溝２９が作業部１６に形成されて、切削端縁２１ａ，２２ａ，２３ａ，２４ａの上に切欠き３０を設けることができる。周方向の溝は、遠位端１８から近位端１７まで作業部に沿って均一または不均一に空間設定することができる。
【００２０】
図１０から図１３は歯内治療器具のまた別な好ましい実施形態を描いている。この実施形態では、歯内治療器具２１０には１本の溝２２１が設けられ、図１０に例示されているように、器具の長手方向中心軸線Yの周囲に配置された作業部２１６の一部に沿って延びている。溝２２１は３本の長さの等しい真直ぐな溝部２３２，２３４，２３６からなり、これら区分は各々が溝の全長２６０のほぼ３分の１の長さである。真直ぐな溝部２３４は真直ぐな溝部２３２と溝部２３６との間に配置されている。真直ぐな溝部２３２，２３４，２３６の各々は、中心軸線Yに関して互いに１２０°離して角度変位された位置にある。図１１、図１２、図１３は、図１０の線B−B、線C−C、線D−Dのそれぞれに沿って破断された場合の、作業部２１６の真直ぐな溝部２３２，２３４，２３６についての断面図を示している。所望に応じて、２本の真直ぐな溝部、または、４本以上の真直ぐな溝部を設けた、上記と同様の器具を形成してもよいこと、また、真直ぐな溝部の長さが同じでも、互いに異なる長さであってもよいことを当業者なら容易に認識するだろう。更に、真直ぐな溝部は、所望の一貫した角度で角度変位されてもよいし、或いは、互いに異なる角度で角度変位されてもよい。
【００２１】
図１０で分かるように、真直ぐな溝部２３２は第１端２３８および第２端２４０を有している。真直ぐな溝部２３４は第１端２４２と第２端２４４を有しており、真直ぐな溝部２３６は第１端２４６と第２端２４８を有している。好ましい実施形態では、図１０に例示されているように、区分２３４の両端それぞれと区分２３２および区分２３６のこれらに隣接している端部との間には、中間部２５０が存在する。中間部２５０のうち、断面領域が大きいほうは、器具１０の全体的強度を増大させ、使用中の器具１０の破損を防止するのに役立っている。
【００２２】
他の好ましい実施形態では、３本の真直ぐな溝部２３２，２３４，２３６はほぼ互いに隣接し合っていてもよい。また他の好ましい実施形態では、図１４に例示されているように、３本の真直ぐな溝部２３２，２３４，２３６が互いに重なり合っていてもよい。真直ぐな溝部２３４の両端部２４２、２４４は真直ぐな溝部２３２，２３６の第１端と第２端の間にあってもよい。真直ぐな溝部２３２，２３４が互いに重なり合っている結果がゲート２５２であるが、これは歯屑の通り道を設けており、歯屑を溝２６０に払出すのを更に容易にしている。
【００２３】
図１０に例示されているように、真直ぐな溝部２３２，２３４，２３６の各々は、第１端面２５４および第２端面２５６を備えており、これら両端面の間に中間面２５８が配置されている。端面２５４と端面２５６は各々が中間面２５８を横切る平面に配置されている。端面２４３と端面２５６は中間面２５８に対して角度θに配置することができ、ここでは、θは９０°より大きいか、または、９０°に等しい。角θの角配向は、９０°よりも大きく（図１０に例示されているように）、歯屑が溝２６０より近位に払出されるのを一層容易にしている。
【００２４】
変形実施形態では、溝部は、溝部と溝部の間の角変位が小さいほど、例えば、各溝部がその手前の溝部から４５°しか間隔を設けられていない場合は、長さも短くすることができることを当業者なら認識するだろう。これ以外の変形実施形態は１本以上の溝を有しており、溝の各々は多数の溝部から構成されているようにしてもよい。
【００２５】
図１５は本発明の歯内治療器具のまた別な好ましい実施形態を描いている。この実施形態では、２本の等しい長さの溝部３３２，３３４の各々が溝の全長３３８の２分の１の長さであるように示されている。溝部３３２は真直ぐな溝３６０を有しているが、溝部３３４は螺旋状の溝３７０を有している。所望に応じて３本以上の溝部を設けた、同じような器具を構成することもできるが、この場合、少なくとも１区分が真直ぐな溝で、残りの区分は螺旋状の溝であってもよいことを、当業者なら容易に認識するだろう。各区分の長さは同じ長さでもよいし、それぞれ異なる長さであってもよい。更に、各区分は所望の一貫した角度で角変位されていてもよいし、それぞれ異なる角度で角変位されていてもよい。
【００２６】
本発明は、まず最初に原料に非螺旋状の溝を研削処理で設けてから、器具の外径と先細り形状を研削処理で所望の寸法にすることにより製造することができるが、これは全て、１つの機械で１回の動作で行ってもよいし、２つ以上の別々の機械で行ってもよい。逆に、外径と先細り形状を先に研削処理で設けてから、溝を設けることもできる。ここでも、上記のプロセスはどれも全て１つの機械で実施されてもよいが、２つ以上の機械を使って行ってもよい。更に、現在の製造方法においてそうであるように、運動の１つの軸線に沿って研削ホイールを超えた先まで素材部分を移動させるよりむしろ、本発明で使用される方法は、素材部分を越えた先まで研削ホイールを移動させながら、多数軸線で研削ホイールを同時に並進させる動きを含んでいてもよい。
【００２７】
ある製造方法では、原料を中空の台座、棒状の台座、または、コイル台座から自動給送して別注の支持成形型に入れるようにしてもよい。好ましい実施形態では、支持成形型そのものは多様な軸線で並進させられて、器具が研削処理を受けている最中は器具が確実に適切な支持を得られるようにしている。次いで、台座が長軸線を中心として回転させられる。次に、型を取付けた回転式の研削ホイールを回転している台座の先端と接触させて、器具の先端部を成形する。次いで、研削ホイールを適切な深さまで後退させて、後退方向の直線給送率は回転する台座の１分あたりの回転数 rpm と研削ホイールの表面速度とに比例するように切替えられて、所望の径、所望の先細り形状を作成し、先細り形状の所定径の部分の仕上げを行う。素材の先細り部が研削ホイールより先に給送されると、研削ホイールは作業部の先細り支持部の中まで移動してしまう。先細り部が完成した後、適切な型を取付けた第２の研削ホイールが先細りの支持部の上方で適切な配向にされてから、静止している先細り部の中まで送られて、所望の溝形状を所望の深さで作成する。次いで、研削ホイールが後退させられて、先細り部が放射方向および／または軸線方向に位置決めし直され、次の溝を研削処理で設けるのに先細り部が適切な配向となるようにする。このプロセスは、全ての所望の溝を研削処理で設けてしまうまで、反復される。最後に、完成している部分は、次の部分が定位に着かされるのと同時に、離脱させられる。
【００２８】
本件に開示されている実施形態は、本質的に実施例であり、また、具体例にすぎず、開示されている器具の多数の修正例やそれ以外の実施形態も、当業者なら案出することができることが分かるだろう。したがって、添付の特許請求の範囲の各請求項は、本発明の精神および範囲に入る修正例や実施形態の全てを網羅するよう意図されているものと解釈されるべきである。
【図面の簡単な説明】
【００２９】
【図１】本発明による器具の側面立面図である。
【図２】図１の線A−Aに沿って破断された、器具の拡大断面図である。
【図３】本発明の他の具体的拡大断面図である。
【図４】本発明の他の具体的拡大断面図である。
【図５】本発明による他の具体的器具の側面立面図である。
【図６】本発明による他の具体的器具の側面立面図である。
【図７】図６に例示された「詳細A」の拡大立面図である。
【図８】本発明による具体的器具の側面立面図である。
【図９】図８に例示された「詳細B」の拡大立面図である。
【図１０】本発明による他の具体的器具の側面立面図である。
【図１１】図１０の線B−Bに沿って破断された器具の拡大断面図である。
【図１２】図１０の線C−Cに沿って破断された器具の拡大断面図である。
【図１３】図１０の線D−Dに沿って破断された器具の拡大断面図である。
【図１４】本発明による他の具体的器具の側面立面図である。
【図１５】本発明によるさらなる他の具体的器具の側面立面図である。
【図１】
2006521883.tif 000003
【図２】
2006521883.tif 000004
【図３】
2006521883.tif 000005
【図４】
2006521883.tif 000006
【図５】
2006521883.tif 000007
【図６】
2006521883.tif 000008
【図７】
2006521883.tif 000009
【図８】
2006521883.tif 000010
【図９】
2006521883.tif 000011
【図１０】
2006521883.tif 000012
【図１１】
2006521883.tif 000013
【図１２】
2006521883.tif 000014
【図１３】
2006521883.tif 000015
【図１４】
2006521883.tif 000016
【図１５】
2006521883.tif 000017
【国際調査報告】
2006521883.tif 000018